(57)【要約】【課題】製造費を従来に比し安価にして、著しく節減した積層合成樹脂製袋体及びごみ袋体並びに取手付き袋体並びに収便袋体並びに溶着方法並びに接着取付具を提供する。【解決手段】一枚の合成樹脂製フィルム状袋体ａを縦方向巻き３つ折りとし、該袋体の多数枚を積重し、積重せしめられた前記袋体ａもしくはごみ袋体もしくは収便袋体の左側面部もしくは右側面部か、または両側面部または前側面部または下側面部を、溶着手段ｂを介して前記袋体もしくはごみ袋体もしくは収便袋体の全部を溶着することによって分離可能に接続せしめられている。【選択図】    図１
2018127358.tif 000002
【特許請求の範囲】
【請求項１】
一枚の合成樹脂製フィルム状袋体を縦巻き３つ折りとし、該袋体の多数枚を積重し、積重せしめられた前記袋体もしくはごみ袋体もしくは収便袋体の左側面部もしくは右側面部か、または両側面部または前側面部または下側面部を、溶着手段を介して前記袋体もしくはごみ袋体もしくは収便袋体の全部を溶着することによって分離可能に接続せしめられていることを特徴とする積層合成樹脂製袋体及びごみ袋体並びに収便袋体。
【請求項２】
請求項１に記載した溶着後の積層合成樹脂製袋体を縦３つ折りとし、袋体の複数枚を取り出しセットとしたことを特徴とする請求項１に記載の積層合成樹脂製袋体及びごみ袋体並びに収便袋体。
【請求項３】
取手付き合成樹脂製袋体並びに取手付き合成樹脂製ごみ袋体の多数枚を積重し、前記各袋体の左側面部もしくは右側面部か、または両側面部を、溶着手段を介して溶着せしめ、溶着後複数枚をセットとしたことを特徴とする取手付き積層合成樹脂製袋体及びごみ袋体。
【請求項４】
積層合成樹脂製袋体並びに溶着がなされていない合成樹脂製袋体の１セットから複数セットを販売セットとし、販売セット毎に防菌加工を施し取り外しの容易な両面接着具を１枚から数枚を付けセットとすることを特徴とする積層合成樹脂製袋体及びごみ袋体並びに取手付き袋体並びに収便袋体。
【請求項５】
請求項４に記載した積層合成樹脂製袋体及び単袋の合成樹脂製袋体の取付用接着具において、強い合成樹脂製チップまたは合成紙製チップまたは合成布製チップを帯状とし、防菌加工を施し、裏及び表の両面に粘性接着剤を左右両端または片方の端を残し、強く塗布または貼ることにより、つまみ部とし、容器より取り外し易く交換し易くしたことを特徴とする合成樹脂製袋体取付用両面接着具。
【請求項６】
前記合成樹脂製袋体もしくはごみ袋体もしくは取手付き袋体もしくは収便袋体を整列容器内に開口部を同一方向にして揃えて積重せしめ、左側面部もしくは右側面部か、または両側面部を、溶解物質を少なくするため溶着手段のミシン刃状溶着ローラーを上方部から下方部に、または下方部から上方部に移動せしめて、前記袋体またはごみ袋体または収便袋体を互いに溶着し分離可能に接続せしめることを特徴とする積層合成樹脂製袋体及びごみ袋体並びに取手付き積層合成樹脂製袋体並びに積層収便袋体の溶着方法。
【請求項７】
請求項６に記載した合成樹脂製袋体の溶解物を少なくする溶着方法において、バイト状溶着部材をもって上方部から下方部に移動することにより、積層袋の前方に溶解物を掻出すことを特徴とする、積層合成樹脂製袋体及びごみ袋体並びに取手付き積層合成樹脂製袋体並びに積層収便袋体の溶着方法。
【発明の詳細な説明】
【技術分野】
【０００１】
本発明は、積層合成樹脂製袋体及びごみ袋体並びに取手付き袋体並びに収便袋体並びに溶着方法並びに接着取付具の分野に関するものである。
【背景技術】
【０００２】
従来、袋集合体及び袋素材集合体が、特許文献１（特開２０１３−８６８６０公開特許公報）に開示されている。
【０００３】
特許文献１の発明は、袋集合体または袋素材集合体から、袋を破損することなく取り去りまたは剥がしやすくし、容器内から袋を引き出しやすく、運搬も容易にすることを課題とし、その構成は袋集合体１を取付要素１７により保持具に取付け、袋集合体１から袋１０を一枚または複数枚づつ分離して使用するものである。
【０００４】
また前回出願（取り下げた特願２０１５−０２５１７５号）の特許出願は、出願人の不手際により公開されたもので、今回の特許出願のルーツではあるが、詳細は省略した。
【先行技術文献】
【特許文献】
【０００５】
【特許文献１】特開２０１３−８６８６０公開特許公報
【発明の概要】
【発明が解決しようとする課題】
【０００６】
前記した特許文献１の袋集合体及び袋要素集合体は、取付要素１７として、三個所の結合孔１４を囲む分離要素１５と分離部１６からなり、その構成は複雑であり、製品として仕上げるのに手間がかかる。
【０００７】
さらに、前記取付要素１７を構成する部材も多岐にわたるため、製品化するため仕上げるには、製造費も比例してアップすることが見込まれる。
【０００８】
また前回の出願を取下げることとなった、問題の１つである溶着ローラーを、ミシン刃状溶着ローラーとし、溶着部を深く且つ溶解物質を少なくすることで、安定した溶着方法となった。
【０００９】
しかるに、本発明は、一枚の合成樹脂製袋体を巻き３つ折りに折畳んだ後、入り口部を同一方向にして複数枚の袋を積層せしめ、積層されて形成された袋集合体の左右両側部の何れか一方の側部もしくは両側部にして且該合成樹脂製袋体の入り口部寄りの側部を、溶着手段を介して互いに分離可能として各袋体を溶着せしめて形成することによって、製造費を従来のものに比し安価にして、且つ著しく節減せしめたものである。
【００１０】
さらに、本発明は、前記積層合成樹脂製袋体及び積層合成樹脂製ごみ袋体の溶着個所を袋の入り口部寄りとして、一番目に位置している外側方の袋を袋の両側部が左または右方向への縦巻き３つ折りに折曲せしめられ互いに重ね合わされた形状にすることによって、容器内において袋の両側部を左右に広げ易く、また袋の内側がフリーとなって広げ易いのであり、フィルムシートの中では、いくらか強いアーケード状の個所で連接せしめて、袋の下部の揺れを少なくし、全体の安定を保持できるようにした。
【００１１】
また本発明の積層袋の容器への取付けであるが、重ねる為汚れる事の少ない積層袋の特性を生かし両面接着具をセットとして加え、容器へ張付けての使用でありいくらかの手間ではあるが、その後３０枚から４０枚の使用が出来、溶着されていない単袋の巻き３つ折りとした。合成樹脂製袋体の使用も可能であり、安価な接着取付具である。またそれらの要点等は後記する。
【００１２】
本発明は、防菌効果を発揮する両面接着具の帯体に色を付け新しさを表し、高級感を捻出し、新型タイプの積層袋並びに単袋のごみ袋及び収便袋の取付方であり、シンボルとなる等期待感を発揮せしめることができるものとなった。
【００１３】
本発明は、また既存の袋の折り方の袋を使用し両面接着具として取付けることもできるし、自動もしくは手動でも製造することができるので、極めて容易にして、且つ安価で安定した製品に仕上げることができる。
【課題を解決するための手段】
【００１４】
課題を解決するための手段として、請求項１に記載の発明は、一枚の合成樹脂製フィルム状袋体を縦方向巻き３つ折りとし、該袋体の多数枚を積重し、積重せしめられた前記袋体もしくはごみ袋体もしくは収便袋体の左側面部もしくは右側面部か、または両側面部または前側面部または下側面部を、溶着手段を介して前記袋体もしくはごみ袋体もしくは収便袋体の全部を溶着することによって分離可能に接続せしめられていることを特徴とする積層合成樹脂製袋体及びごみ袋体並びに収便袋体である。
【００１５】
課題を解決するための手段として、請求項２に記載の発明は、前記請求項１に記載した合成樹脂製袋体を巻き３つ折りとし多数枚を積重し、側面部を溶着し、袋体の複数枚を取り出しセットとしたことを特徴とする請求項１に記載の積層合成樹脂製袋体及びごみ袋体並びに収便袋体である。  
【００１６】
課題を解決するための手段として、請求項３に記載の発明は、取手付き袋体ｃ並びに取手付きごみ袋体ｃの多数枚を積重し、前記各袋体ｃ、ｃの左側面部１もしくは右側面部２か、または両側面部を、溶着手段ｂを介して溶着せしめ、溶着後複数枚をセットとしたことを特徴とする取手付き積層合成樹脂製袋体及びごみ袋体並びに収便袋体である。
【００１７】
課題を解決するための手段として、請求項４に記載の発明は、積層合成樹脂製袋体並びに溶着がなされていない合成樹脂製袋体の１セットから複数セットを販売セットとし、販売セット毎に防菌加工を施し取り外しの容易な両面接着具を１枚から数枚を付けセットとすることを特徴とする積層合成樹脂製袋体及びごみ袋体並びに取手付き袋体並びに収便袋体である。
【００１８】
課題を解決するための手段として、請求項５に記載の発明は、前記請求項４の積層合成樹脂製袋体及び単袋の合成樹脂製袋体の取付用接着具において、強い合成樹脂製チップまたは合成紙製チップまたは合成布製チップを帯状とし、防菌加工を施し、裏及び表の両面に粘性接着剤を左右両端または片方の端を残し、強く塗布または貼ることにより、つまみ部とし、容器より取り外し易く交換し易くしたことを特徴とする合成樹脂製袋体取付用両面接着具である。並びに帯体の両端に細かな凹凸を付けるか、又は研磨剤を塗布し制作する接着具の研磨部において、剥離紙の片面に同様の処理を施し研磨部とすることも可能である。
【００１９】
課題を解決するための手段として、請求項６に記載の発明は、前記合成樹脂製袋体もしくはごみ袋体もしくは取手付き袋体もしくは収便袋体を整列容器内に開口部を同一方向にして揃えて積重せしめ、左側面部もしくは右側面部か、または両側面部を、溶解物質を少なくする為溶着手段のミシン刃状溶着ローラーを上方部から下方部に、または下方部から上方部に移動せしめて、前記袋体またはごみ袋体または収便袋体を互いに溶着し分離可能に接続せしめることを特徴とする積層合成樹脂製袋体及びごみ袋体並びに取手付き積層合成樹脂製袋体並びに積層収便袋体の溶着方法である。
【００２０】
課題を解決するための手段として、請求項７に記載の発明は、前記請求項６の合成樹脂製袋体の溶解物を少なくする溶着方法において、バイト状溶着部材をもって上方部から下方部に移動することにより、積層袋の前方に溶解物を適度に掻出すことを特徴とする積層合成樹脂製袋体及びごみ袋体並びに取手付き積層合成樹脂製袋体並びに積層収便袋体の溶着方法である。
【発明の効果】
【００２１】
本発明は、前記積層合成樹脂製袋体及び積層合成樹脂製ごみ袋体の溶着個所を各袋の入り口部寄りとして、袋の両側部が縦方向巻き３つ折りに折曲せしめ互いに重ね合わされた形状にすることによって、容器内で袋の両側部を左右に広げ易く、また袋の内側がフリーとなって広げ易いのであり、アーケード状のフィルムシートの中では、いくらか強い個所で連接せしめて、袋の下部の揺れを少なくし、全体の安定を保持できるのである。
【００２２】
本発明は、防菌効果を発揮する両面接着具の帯状の芯に色を付け新しさを表し、高級感を捻出し、新型タイプのごみ袋のシンボルとなる等の期待感を発揮せしめることができるようにした。
【００２３】
本発明は、また既存の袋の折り方の袋を容器に取付けることもできるし、自動もしくは手動でも製造することができるので、極めて容易にして、且つ安価で安定した製品に仕上げることができる利点がある。
【００２４】
本発明は、さらに５〜１０枚程の積層合成樹脂製ごみ袋として、容器内に取付けるとき、ごみ袋の収納場所への行き来が少なくなり、時間的にも動きの面でも極めて便利である。
【００２５】
さらに本発明は、溶着手段としてミシン刃状溶着ローラーを使用することによって、前記積層合成樹脂製袋体及びごみ袋体並びに取手付き積層合成樹脂製袋体及び取手付き積層合成樹脂製ごみ袋体の側面部を、溶解物質の量を少なくすることにより、溶着の強さの調整を容易とすることができる利点がある。
【００２６】
この両面接着具での容器への取付けで、積層袋並びに溶着をしていない単袋の巻き３つ折りとした合成樹脂製袋体を収便袋として、１回の取付けで多数回の使用ができ、最終処理の対策としては、穴を掘って埋めるとか、凝固剤の使用であって完全ではないが、震災時の便器及び簡易便器への使用が可能であり、また水の使用出来る一般家庭及び病院や介護施設等での備品としての適応という効果がある。
【００２７】
さらに巻き３つ折りとした合成樹脂製袋体の単袋の５枚から１０枚を溶着し積層袋セットとし、それらの１セットから２０セット程並びに溶着していない複数枚から多数枚の単袋を販売セットとし、防菌加工を施しつまみ部を設け研磨も出来る帯状の両面接着具を１枚から数枚付け、販売セットとすることで安価で効率の良い取付である。
【００２８】
また収便袋体として用いる時には、両面接着具が任意な場所へも張れ、袋をしっかり取付けることで小さめの収便袋とすることができ、最終処理として洗い水を追水として入れトイレに流すことができるのである。
【００２９】
さらに次からは容器への接着位置がわかり易く、急ぐ時には重ねて張ることもできるのである。
【００３０】
本発明は、複数枚の柔軟な合成樹脂製袋体を溶着したので、消費者及び生産者にとって極めて良好でメジャーな商品となる期待と可能性がある。
【図面の簡単な説明】
【００３１】
【図１】本発明の積層合成樹脂製袋体及びごみ袋体並びに業務用積層合成樹脂製袋体の実施の１例である該袋体を整列容器内に開口部を同一方向にして揃えて積重し、且つ押圧せしめ、該袋体の側面部を溶着手段であるミシン刃状溶着ローラーをもって溶着を開始せしめようとしている溶着直前の状態を示す一部切欠縦断正面図である。
【００３２】
【図２】図１の積層合成樹脂製袋体の一側面部に加熱手段のヒーター部を内蔵せしめたヒーター軸杆に対し、直角又は鋭角状に装着せしめられたミシン刃状溶着ローラーが溶着している状態を示す一部切欠平面図である。
【００３３】
【図３】同積層合成樹脂製袋体及びごみ袋体並びに業務用積層合成樹脂製袋体の第１実施例の斜視図である。
【００３４】
【図４】同積層合成樹脂製袋体及びごみ袋体及び両面接着具の接着位置の取付図である。
【００３５】
【図５】合成樹脂製袋体及びごみ袋体並びに収便袋体の巻き３つ折りとした１枚の袋体の一部切欠斜視図である。
【００３６】
【図６】同積層合成樹脂製袋体の第３実施例の一部切欠正面図である。
【００３７】
【図７】図６の袋体の一部切欠右側面図である。
【００３８】
【図８】同業務用取手付き積層合成樹脂製袋体の第４実施例を示す正面図である。
【００３９】
【図９】同積層合成樹脂製袋体をごみ容器内に収納し、両面接着具に接着されている状態の一部切欠縦断正面図である。
【００４０】
【図１０】ごみ容器内に収納した積層合成樹脂製袋体（ごみ袋体）の上方部がごみ容器より飛出し、飛出した前記ごみ袋体が両面接着具に接着せしめられようとしている状態の底面図である。
【００４１】
【図１１】同容器内に収納した積層合成樹脂製袋体（ごみ袋体）の中、外側の袋体を容器内で広げようとしている状態を示す平面図である。
【００４２】
【図１２】図１１に示する容器内に収納した積層合成樹脂製ごみ袋体を開口し、容器の中程まで広げた状態の平面図である。
【００４３】
【図１３】図１２に示す状態の積層合成樹脂製ごみ袋体を上方に向って突き上げた状態の縦断正面図である。
【００４４】
【図１４】図１３に示す容器内に広げた袋体を上方に突き上げた状態から、容器の外側方に展開せしめた状態の正面図である。
【００４５】
【図１５】同積層合成樹脂製袋体の複数枚を接着手段で接着せしめた斜視図である。
【００４６】
【図１６】簡易便器及び取付た収便袋の平面図である。
【００４７】
【図１７】図１６に図示した前記簡易便器の縦断面図である。
【００４８】
【図１８】バイト状溶着ヒーター及び溶着部材の左側面図である。
【００４９】
【図１９】バイト状溶着部材の上面図である。
【００５０】
【図２０】両面接着具の一部切欠正面図である。
【００５１】
【図２１】図２０の両面接着具の組立て前の縦断面図である。
【００５２】
【図２２】図２０の両面接着具の該部材を構成する構成部材の組立て前の斜視図である。
【発明を実施するための最良の形態】
【００５３】
本発明の請求項１〜７に記載の発明に関する実施の形態は、共通しているので、一括して以下のとおり説明する。
【００５４】
本発明は、従来の合成樹脂製袋体とは、一枚の合成樹脂製フィルム状袋体ａ及び合成樹脂製ごみ袋体ａを縦巻き３つ折りにした点において異なっている。
【００５５】
すなわち、前記のような巻き３つ折りにした合成樹脂製袋体ａとは、図５に図示されているようにして折り畳むものである。前記のように巻き３つ折りにした理由は、発明が解決しようとする課題において説明したように、袋体の左右折曲辺部及び袋体の内側がフリーとなって広げ易く、そのため広げる作業がスムーズに行くことが最大の狙いであるが、積層体の弱体化も否めない為、左右の溶着を補強としてのデビューである。
【００５６】
さらに、本発明が前記巻き３つ折りにした袋体を多数枚積重せしめ、その積重手段は後述するが、本発明は、積層合成樹脂製袋体ａの一側面部又は両側面部を、しかも前記袋体ａの開口部４を同一方向にして取り揃えて積重せしめ、溶着手段ｂを介して、しかも溶着手段ｂが円盤状にして、且外周縁部７がミシン刃状にて形成せしめられた溶着ローラーｅを使用して、溶解物質の量を少なくして溶着部の断面を適度に荒し、柔らかな溶着とし、且早く剥離が仕易い積層合成樹脂製袋体ａを実現させるためである。これらの具体的な実施例は後述する。
【００５７】
実施例の１について説明する。
【００５８】
本発明の積層合成樹脂製袋体ａ及び同じ資材のごみ袋体ａは、両者共形状形態が共通しているので一括して以下のとおり説明する。
【００５９】
前記積層合成樹脂製袋体ａと同ごみ袋体ａは、手動もしくは自動的にして袋体ａ、ａを巻き３つ折りにして畳んだ後、図１に図示されているように、整列容器ｄ内に、開口部４を同一方向にして積層状態に積重せしめる。
【００６０】
しかる後、前記袋体ａ、ａを上方部より押圧手段ｆを介して一定の圧力をかけ押圧して前記整列容器ｄ内に溶着が仕易い状態を確保してやる。
【００６１】
つぎに、溶着手段ｅを介して前記整列容器ｄ内に押圧収納されている前記袋体ａ、ａの一側面部である右側面部２の端縁部５より袋体ａ、ａの内側部に所定の範囲、例えば２〜５ｍｍの範囲まで食込んだ部位に、溶着手段ｂであるミシン刃状溶着ローラーｅを上部または下部より押しながら回転せしめ内側部に侵入せしめ溶着する。なお溶着ローラー軸によりミシン刃状溶着ローラーｅを回転させることは溶着部の断面を適度に荒し、柔らかな溶着となり、なお早く好ましい。
【００６２】
前記のような溶着によって、積層されている合成樹脂製袋体ａ、ａの全部が確実に溶着され、溶着しない袋体ａ、ａは少ない。
【００６３】
前記溶着手段ｂである溶着ローラーｅは、上方部から下方部へ、下方部から上方部へと昇降せしめても良く、前記ミシン刃状溶着ローラーｅの回転は進行方向へと自ずと変る。
【００６４】
本発明は、前記のようにして溶着された袋体ａ、ａを複数枚宛取り出しセットにして使用することができる。
【００６５】
本発明の溶着は、前記のようにして積層された合成樹脂製袋体ａ、ａの溶着個所が、前記袋体ａの左側面部１もしくは右側面部２の何れかにするか、両側面部を溶着してもよい。
【００６６】
１０は溶着部である。
【００６７】
実施例の２について説明する。
【００６８】
本発明は、取手付き合成樹脂製袋体ｃ、ｃを前記と同様に、整列容器ｄ内に収納し積層せしめ、上方から押圧しておきながら、前記袋体ｃ、ｃの一側面部である左側面部１もしくは右側面部２の何れかに溶着手段ｂを介して前記と同様に端縁部５より内側部に２〜５ｍｍの範囲に食込ませながら移動せしめて溶着する。
【００６９】
さらに本発明においては、前記取手付き合成樹脂製袋体ｃの左側面部１もしくは右側面部２もしくは両側面部を、前記袋体ａと同様に、溶着手段ｂを介して溶着せしめても良い。
【００７０】
１０は溶着部である。
【００７１】
実施例の３について説明する。
【００７２】
前記溶着手段ｂを構成する回転せしめられるミシン刃状溶着ローラーｅについて説明する。
【００７３】
前記ミシン刃状溶着ローラーｅは、図１、２に図示されているように、所定の温度、袋の表面を１６０℃前後に加熱せしめるためヒーター部１１を内蔵するヒーター軸杆１２に対し、直角状に軸着されている。
【００７４】
そして、前記ミシン刃状溶着ローラーｅの構造は、円盤状にして、且つ外周縁部７がミシン刃状にて形成され、図にはないが、ミシン刃状溶着ローラーの軌跡としての溶解であり、本件特許出願人が出願し取下げた特願２０１５−２５１５７号の溶着ローラーに比べ、溶解物質は半減したのであり、軽く剥し易い、積層袋となすものである。
【００７５】
さらに、前記ミシン刃状溶着ローラーｅを軸着するヒーター軸杆１２は、端部には図示していないが、上または下より押すことにより回動するよう装着されているが、軸杆自体の回転による上下方向への回動は変化が多く好ましい。
【００７６】
前記加熱手段を構成するミシン刃状溶着ローラーｅは、ヒーター部１１が、所定の温度、袋の表面が１６０度前後となるよう加熱されるのであり、前記合成樹脂製袋体ａ、ａの側面部を溶着するときは、積重し積層されている全部の積層袋体ａ、ａが全部溶着される。そのため複数枚の前記積層袋体ａ、ａは容器ｇへ収納した際、一枚も無駄にならずにスムーズに使用され極めて便利である。
【００７７】
さらに、本発明においては、前記ヒーター軸杆１２に対し、直角状に装着されているミシン刃状溶着ローラーｅを、所定の間隔をおいて、一対にして装着せしめて使用することもできる。
【００７８】
前記のように一対にして装着することによって、整列容器ｄ内に積重され且つ押圧せしめられた積層合成樹脂製袋体ａ、ａは、２個所溶着される。
【００７９】
その結果、積層合成樹脂製袋体ａ、ａは、より一層確実に溶着されるので、非溶着の袋体がなくなり、優れた製品化を図ることができる。
【００８０】
１０は溶着部である。
【００８１】
実施例の４について説明する。
【００８２】
本発明は前記業務用取手付き合成樹脂製袋体ｃ並びに同ごみ袋体ｃとして、これら袋体を構成する任意の個所に孔１３を開けるか、又はその孔１３をフックで止め、さらに左側面部１か右側面部２を、または両側面部に前記ミシン刃状溶着ローラーｅを介して溶着せしめてもよい。
【００８３】
さらに本発明は、前記のミシン刃状溶着ローラーｅを使用するので、溶解物質の量を少なくして、溶着の深さを増すため、業務用積層合成樹脂製袋体ａ並びに同ごみ袋体ａの全部が溶着され、非溶着のものの発生は少ない利点がある。
【００８４】
１０は溶着部である。
【００８５】
実施例の５について説明する。
【００８６】
本発明の積層合成樹脂製袋体ａは、図１０に図示するように、溶着部１０を合成樹脂製容器ｇの開口部１３より外側方に飛出せしめ、他の部分は容器ｇ内に収納せしめ使用する。また両面接着具１８による取付け位置である。
【００８７】
さらに、蓋体（図示なし）を被せることにより、前記袋体ａは、より一層安定した状態で収納せしめることができる。
【００８８】
またこのアイテムの容器への取付けに関しては、古い容器への接着力は弱く、剥れ落ちる恐れが有り、細かなサンドペーパー等により接着面の研磨が必要である。そのため両面接着具の帯体表面を適度に荒し、研磨に用いようとするものである。
【００８９】
又、１枚の両面接着具で３０枚から４０枚の袋体の使用が可能であり、１枚の両面接着材で１枚または数枚の袋体の使用では、効率が悪く価格も上がりもったいないのである。
【００９０】
そのため、積層袋体を１セット又は複数のセット並びに溶着していない合成樹脂製袋体の複数または多数枚を販売セットとし、防菌加工を施し、両端を研磨部を兼ねたつまみ部として両面接着具を設け、セットとして販売するものである。
【００９１】
さらに、容器に両面接着具１８を張り付けた後、容器の中に積層袋を入れ、開口部を容器の外側に出し、裏の面を前記の両面接着具１８に張り付けるのである。
【００９２】
その後積層袋上部を押え、もう一方の手で折曲辺部１６、１７を左右に広げ、一番上のフィルムシート上面の開口中央部を指でつまんでいくらか開けるのである。
【００９３】
それを容器の中程まで広げ、その位置で上の方に向けてトントンと数回突き上げ、いくらか袋に空気が入った後、両手を使い、袋の全体をしっかり容器の壁に向って広げるのである。
【００９４】
実施例の６収便袋ａについて説明する。
【００９５】
また収便袋ａの取付け方であるが、説明文にそって両面接着具１８を容器２０及び座板に張り、収便袋ａを入れて開口部を容器の外側に出し、両面接着具１８に張り付けるのである。
【００９６】
その後収便袋ａの左右折曲辺部を広げ、収便袋の開口部を開き、容器２０の中に広げ、外にも広げつつ便座上又は便器に付けた両面接着具に張り付け整えるのである。また粘性の特に強い汚物に対しては、消臭または除菌を兼ねた潤滑油の塗布、または使用前の容器への塗布は好ましい。
【００９７】
使用した後は、１又は数個所の接着部を剥し、空気を抜きながら、取り出すのである。
【００９８】
取り出した後、トイレに持って行き、適度に洗い水を入れて追水とし、開口部を下にむけて流し出すのであり、以後袋はごみとして出すのである。
【００９９】
さらに本発明の積層合成樹脂製袋体６の広げ方としては、図１０に収納された状態から、外側方の袋体ａを容器ｇ内で広げてやる（図１１）。
【０１００】
つぎに、前記図１１に図示する袋体ａを開口し容器の中程まで広げてやる（図１２）。
【０１０１】
さらに、前記図１２の図示状態から、図１３に図示するようにして同袋体ａを上方に向って突き上げてやる。その後、外側の袋体ａを容器ｇ内に広げたら、前記袋体ａを容器ｇの外側方に展開する。
【０１０２】
以上が前記袋体ａの広げ方法である。
【０１０３】
１４は取手部、１５は綴代である。
【０１０４】
実施例の７について説明する。
【０１０５】
さらに、本発明は、巻き３つ折りとした積層袋体及び合成樹脂製袋体６の単袋の容器への取付けは、両面接着具を容器に張り付けることにより、２０枚から３０枚の合成樹脂製袋体の使用が可能であり、複数枚あるいは多数枚の袋の単袋並びに数セットまたは複数セットの積層袋体に、１枚から数枚の両面接着具を付け販売セットとするものである。  
【０１０６】
さらに、研磨材の使用は、容器表面に傷を付けることにつながるものであり、両面接着具の帯体の表面を適度に荒し、これをもって、古い容器の表面を研磨しようとするものである。また、他の研磨部材の使用も可能である。
【０１０７】
実施例の８について説明する。
【０１０８】
溶着手段として、前記のとおりミシン刃状溶着ローラーｅについて説明したが、さらに本発明においては、前記ミシン刃状溶着ローラーｅに対し、工作機械のバイト状とした溶着部材ｎを一方方向に向け使用することもできる。
【０１０９】
バイト状溶着ヒーターは、シンプルな構造であるが、ミシン刃状ローラーヒーターと同等の効果を得ることができる。
【０１１０】
図１７に図示されていないが、溶解物が積層袋両側面前方に落下するのであり、溶解物の受皿を必要とする。
【０１１１】
実施例の９について説明する。
【０１１２】
図においてｏは接着取付具であり以下の構成からなっている。
【０１１３】
積層樹脂製袋体及び単体の取付用接着部材は、水洗いを考慮した強い帯状の合成樹脂製チップとし、該帯体２７の表面と裏面に、粘性接着剤２５を帯体２７より短く、つまみ部を残し塗布又は貼り、そして前記した粘性接着剤２５の表面に剥離紙２６を貼って作成する。
【０１１４】
前記のようにして作成した接着部材ｏは、図２０のように、剥離紙２６が帯体２７の左右両端が残された状態である。
【０１１５】
以上に本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【０１１６】
ａ        積層合成樹脂製袋体
ｂ        溶着手段
ｃ        取手付き積層合成樹脂製袋体
ｄ        整列容器
ｅ        ミシン刃状溶着ローラー
ｆ        押圧手段
ｇ        容器
ｎ        バイト状溶着部材
ｏ        接着取付具
１        左側面部
２        右側面部
３        孔
４        開口部
５        端縁部
６        合成樹脂製袋体
１０      溶着部
１１      ヒーター部
１２      ヒーター軸杆
１３      開口部
１４      取手部
１５      綴代
１６      右折曲辺部
１７      左折曲辺部
１８      両面接着具
１９      つまみ部
２０      簡易便器
２１      便座部
２２      昇降シャフト
２３      昇降ナット
２４      ガリ刃状溶着ヒーター
２５      粘性接着剤
２６      剥離紙
２７      帯体
【図１】
2018127358.tif 000003
【図２】
2018127358.tif 000004
【図３】
2018127358.tif 000005
【図４】
2018127358.tif 000006
【図５】
2018127358.tif 000007
【図６】
2018127358.tif 000008
【図７】
2018127358.tif 000009
【図８】
2018127358.tif 000010
【図９】
2018127358.tif 000011
【図１０】
2018127358.tif 000012
【図１１】
2018127358.tif 000013
【図１２】
2018127358.tif 000014
【図１３】
2018127358.tif 000015
【図１４】
2018127358.tif 000016
【図１５】
2018127358.tif 000017
【図１６】
2018127358.tif 000018
【図１７】
2018127358.tif 000019
【図１８】
2018127358.tif 000020
【図１９】
2018127358.tif 000021
【図２０】
2018127358.tif 000022
【図２１】
2018127358.tif 000023
【図２２】
2018127358.tif 000024
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
一枚の合成樹脂製フィルム状袋体を縦巻き３つ折りとし、該袋体の多数枚を積重し、積重せしめられた前記袋体もしくはごみ袋体もしくは収便袋体の左側面部もしくは右側面部か、または両側面部または前側面部または下側面部を、溶着手段を介して前記袋体もしくはごみ袋体もしくは収便袋体の全部を溶着することによって分離可能に接続せしめられていることを特徴とする積層合成樹脂製袋体及びごみ袋体並びに収便袋体。
【請求項２】
前記請求項１に記載した積層合成樹脂製袋体を縦巻き３つ折りとし、積重した後溶着し、該袋体の複数枚を取り出しセットとしたことを特徴とする請求項１に記載の積層合成樹脂製袋体及びごみ袋体並びに収便袋体。
【請求項３】
取手付き合成樹脂製袋体並びに取手付き合成樹脂製ごみ袋体の多数枚を積重し、前記各袋体の左側面部もしくは右側面部か、または両側面部を、溶着手段を介して溶着せしめ、溶着後複数枚をセットとしたことを特徴とする取手付き積層合成樹脂製袋体及びごみ袋体。
【請求項４】
積層合成樹脂製袋体並びに溶着がなされていない合成樹脂製袋体の１セットから複数セットを販売セットとし、販売セット毎に防菌加工を施し取り外しの容易な両面接着具を１枚から数枚を付けセットとすることを特徴とする積層合成樹脂製袋体及びごみ袋体並びに取手付き袋体並びに収便袋体。
【請求項５】
前記請求項４の積層合成樹脂製袋体及び単袋の合成樹脂製袋体の取付用接着具において、強い合成樹脂製チップまたは合成紙製チップまたは合成布製チップを帯状とし、防菌加工を施し、裏及び表の両面に粘性接着剤を左右両端または片方の端を残し、強く塗布または貼ることにより、つまみ部とし、容器より取り外し易く交換し易くしたことを特徴とする合成樹脂製袋体取付用両面接着具。
【請求項６】
前記合成樹脂製袋体もしくはごみ袋体もしくは取手付き袋体もしくは収便袋体を整列容器内に開口部を同一方向にして揃えて積重せしめ、左側面部もしくは右側面部か、または両側面部を、溶解物質を少なくするため溶着手段のミシン刃状溶着ローラーを上方部から下方部に、または下方部から上方部に移動せしめて、前記袋体またはごみ袋体または収便袋体を互いに溶着し分離可能に接続せしめることを特徴とする積層合成樹脂製袋体及びごみ袋体並びに取手付き積層合成樹脂製袋体並びに積層収便袋体の溶着方法。
【請求項７】
前記請求項６の合成樹脂製袋体の溶解物を少なくする溶着方法において、バイト状溶着部材をもって上方部から下方部に移動することにより、積層袋の前方に溶解物を掻出すことを特徴とする、積層合成樹脂製袋体及びごみ袋体並びに取手付き積層合成樹脂製袋体並びに積層収便袋体の溶着方法。
【手続補正２】
【補正対象書類名】明細書
【補正対象項目名】全文
【補正方法】変更
【補正の内容】
【発明の詳細な説明】
【技術分野】
【０００１】
本発明は、積層合成樹脂製袋体及びごみ袋体並びに取手付き袋体並びに収便袋体並びに溶着方法並びに接着取付具の分野に関するものである。
【背景技術】
【０００２】
従来、袋集合体及び袋素材集合体が特開２０１３−８６８６０公開特許公報とし開示されている。
【０００３】
特許文献１の発明は、袋集合体または袋素材集合体から、袋を破損することなく取り去りまたは剥がしやすくし、容器内から袋を引き出しやすく、運搬も容易にすることを課題とし、その構成は袋集合体１を取付要素１７により保持具に取付け、袋集合体１から袋１０を一枚または複数枚づつ分離して使用するものである。
【０００４】
また前回出願（取り下げた特願２０１５−０２５１７５号）の特許出願は、出願人の不手際により公開されたもので、今回の特許出願のルーツではあるが、詳細は省略した。
【先行技術文献】
【特許文献】
【０００５】
【特許文献１】特開２０１３−８６８６０公開特許公報
【発明の概要】
【発明が解決しようとする課題】
【０００６】
前記した特許文献１の袋集合体及び袋要素集合体は、取付要素１７として、三個所の結合孔１４を囲む分離要素１５と分離部１６からなり、その構成は複雑であり、製品として仕上げるのに手間がかかる。
【０００７】
さらに、前記取付要素１７を構成する部材も多岐にわたるため、製品化するため仕上げるには、製造費も比例してアップすることが見込まれる。
【０００８】
また前回の出願を取下げることとなった、問題の１つである溶着ローラーを、ミシン刃状溶着ローラーとし、溶着部を深く且つ溶解物質を少なくすることで、安定した溶着方法となった。
【０００９】
しかるに、本発明は、一枚の合成樹脂製袋体を巻き３つ折りに折畳んだ後、入り口部を同一方向にして複数枚の袋を積層せしめ、積層されて形成された袋集合体の左右両側部の何れか一方の側部もしくは両側部にして且該合成樹脂製袋体の入り口部寄りの側部を、溶着手段を介して互いに分離可能として各袋体を溶着せしめて形成することによって、製造費を従来のものに比し安価にして、且つ著しく節減せしめたものである。
【００１０】
さらに、本発明は、前記積層合成樹脂製袋体及び積層合成樹脂製ごみ袋体の溶着個所を袋の入り口部寄りとして、一番目に位置している外側方の袋を袋の両側部が左または右方向への縦巻き３つ折りに折曲せしめられ互いに重ね合わされた形状にすることによって、容器内において袋の両側部を左右に広げ易く、また袋の内側がフリーとなって広げ易いのであり、フィルムシートの中では、いくらか強いアーケード状の個所で連接せしめて、袋の下部の揺れを少なくし、全体の安定を保持できるようにした。
【００１１】
また本発明の積層袋の容器への取付けであるが、重ねる為汚れる事の少ない積層袋の特性を生かし両面接着具をセットとして加え、容器へ張付けての使用でありいくらかの手間ではあるが、その後３０枚から４０枚の使用が出来、溶着されていない単袋の巻き３つ折りとした。合成樹脂製袋体の使用も可能であり、安価な接着取付具である。またそれらの要点等は後記する。
【００１２】
本発明は、防菌効果を発揮する両面接着具に色を付け新しさを表し、高級感を捻出し、新型タイプの積層袋並びに単袋のごみ袋及び収便袋の取付方であり、シンボルとなる等期待感を発揮せしめることができるものとなった。
【００１３】
本発明は、また既存の袋の折り方の袋を使用し両面接着具により取付けることもできるし、自動もしくは手動でも製造することができるので、極めて容易にして、且つ安価で安定した製品に仕上げることができる。
【課題を解決するための手段】
【００１４】
課題を解決するための手段として、請求項１に記載の発明は、一枚の合成樹脂製フィルム状袋体を縦方向巻き３つ折りとし、該袋体の多数枚を積重し、積重せしめられた前記袋体もしくはごみ袋体もしくは収便袋体の左側面部もしくは右側面部か、または両側面部または前側面部または下側面部を、溶着手段を介して前記袋体もしくはごみ袋体もしくは収便袋体の全部を溶着することによって分離可能に接続せしめられていることを特徴とする積層合成樹脂製袋体及びごみ袋体並びに収便袋体である。
【００１５】
課題を解決するための手段として、請求項２に記載の発明は、前記請求項１に記載した合成樹脂製袋体を縦巻き３つ折りとし多数枚を積重し、側面部を溶着し、袋体の複数枚を取り出しセットとしたことを特徴とする請求項１に記載の積層合成樹脂製袋体及びごみ袋体並びに収便袋体である。  
【００１６】
課題を解決するための手段として、請求項３に記載の発明は、取手付き袋体ｃ並びに取手付きごみ袋体ｃの多数枚を積重し、前記各袋体ｃ、ｃの左側面部１もしくは右側面部２か、または両側面部を、溶着手段ｂを介して溶着せしめ、溶着後複数枚をセットとしたことを特徴とする取手付き積層合成樹脂製袋体及びごみ袋体並びに収便袋体である。
【００１７】
課題を解決するための手段として、請求項４に記載の発明は、積層合成樹脂製袋体並びに溶着がなされていない合成樹脂製袋体の１セットから複数セットを販売セットとし、販売セット毎に防菌加工を施し取り外しの容易な両面接着具を１枚から数枚を付けセットとすることを特徴とする積層合成樹脂製袋体及びごみ袋体並びに取手付き袋体並びに収便袋体である。
【００１８】
課題を解決するための手段として、請求項５に記載の発明は、前記請求項４の積層合成樹脂製袋体及び単袋の合成樹脂製袋体の取付用接着具において、強い合成樹脂製チップまたは合成紙製チップまたは合成布製チップを帯状とし、防菌加工を施し、裏及び表の両面に粘性接着剤を左右両端または片方の端を残し、強く塗布または貼ることにより、つまみ部とし、容器より取り外し易く交換し易くしたことを特徴とする合成樹脂製袋体取付用両面接着具である。並びに帯体の両端に細かな凹凸を付けるか、又は研磨剤を塗布し制作する接着具の研磨部において、剥離紙の片面に同様の処理を施し研磨部とすることも可能である。
【００１９】
課題を解決するための手段として、請求項６に記載の発明は、前記合成樹脂製袋体もしくはごみ袋体もしくは取手付き袋体もしくは収便袋体を整列容器内に開口部を同一方向にして揃えて積重せしめ、左側面部もしくは右側面部か、または両側面部を、溶解物質を少なくする為溶着手段のミシン刃状溶着ローラーを上方部から下方部に、または下方部から上方部に移動せしめて、前記袋体またはごみ袋体または収便袋体を互いに溶着し分離可能に接続せしめることを特徴とする積層合成樹脂製袋体及びごみ袋体並びに取手付き積層合成樹脂製袋体並びに積層収便袋体の溶着方法である。
【００２０】
課題を解決するための手段として、請求項７に記載の発明は、前記請求項６の合成樹脂製袋体の溶解物を少なくする溶着方法において、バイト状溶着部材をもって上方部から下方部に移動することにより、積層袋の前方に溶解物を適度に掻出すことを特徴とする積層合成樹脂製袋体及びごみ袋体並びに取手付き積層合成樹脂製袋体並びに積層収便袋体の溶着方法である。
【発明の効果】
【００２１】
本発明は、前記積層合成樹脂製袋体及び積層合成樹脂製ごみ袋体の溶着個所を各袋の入り口部寄りとして、袋の両側部が縦方向巻き３つ折りに折曲せしめ互いに重ね合わされた形状にすることによって、容器内で袋の両側部を左右に広げ易く、また袋の内側がフリーとなって広げ易いのであり、アーケード状のフィルムシートの中では、いくらか強い個所で連接せしめて、袋の下部の揺れを少なくし、全体の安定を保持できるのである。
【００２２】
本発明は、防菌効果を発揮する両面接着具の帯状の芯に色を付け新しさを表し、高級感を捻出し、新型タイプのごみ袋のシンボルとなる等の期待感を発揮せしめることができるようにした。
【００２３】
本発明は、また既存の袋の折り方の袋を容器に取付けることもできるし、自動もしくは手動でも製造することができるので、極めて容易にして、且つ安価で安定した製品に仕上げることができる利点がある。
【００２４】
本発明は、さらに５〜１０枚程の積層合成樹脂製ごみ袋として、容器内に取付けるとき、ごみ袋の収納場所への行き来が少なくなり、時間的にも動きの面でも極めて便利である。
【００２５】
さらに本発明は、溶着手段としてミシン刃状溶着ローラーを使用することによって、前記積層合成樹脂製袋体及びごみ袋体並びに取手付き積層合成樹脂製袋体及び取手付き積層合成樹脂製ごみ袋体の側面部を、溶解物質の量を少なくしかつ、溶着の強さの調整を容易とすることができる利点がある。
【００２６】
この両面接着具での容器への取付けで、積層袋並びに溶着をしていない単袋の巻き３つ折りとした合成樹脂製袋体を収便袋として、１回の取付けで多数回の使用ができ、最終処理の対策としては、穴を掘って埋めるとか、凝固剤の使用であって完全ではないが、震災時の便器及び簡易便器への使用が可能であり、また水の使用出来る一般家庭及び病院や介護施設等での備品としての適応という効果がある。
【００２７】
さらに巻き３つ折りとした合成樹脂製袋体の単袋の５枚から１０枚を溶着し積層袋セットとし、それらの１セットから２０セット程並びに溶着していない複数枚から多数枚の単袋を販売セットとし、防菌加工を施しつまみ部を設け研磨も出来る帯状の両面接着具を１枚から数枚付け、販売セットとすることで安価で効率の良い取付である。
【００２８】
また収便袋体として用いる時には、両面接着具が任意な場所へも張れ、袋をしっかり取付けることで小さめの収便袋とすることができ、最終処理として洗い水を追水として入れトイレに流すことができるのである。
【００２９】
さらに次からは容器への接着位置がわかり易く、急ぐ時には重ねて張ることもできるのである。
【００３０】
本発明は、複数枚の柔軟な合成樹脂製袋体を溶着したので、消費者及び生産者にとって極めて良好でメジャーな商品となる期待と可能性がある。
【図面の簡単な説明】
【００３１】
【図１】本発明の積層合成樹脂製袋体及びごみ袋体並びに業務用積層合成樹脂製袋体の実施の１例である該袋体を整列容器内に開口部を同一方向にして揃えて積重し、且つ押圧せしめ、該袋体の側面部を溶着手段であるミシン刃状溶着ローラーをもって溶着を開始せしめようとしている溶着直前の状態を示す一部切欠縦断正面図である。
【００３２】
【図２】図１の積層合成樹脂製袋体の一側面部に加熱手段のヒーター部を内蔵せしめたヒーター軸杆に対し、直角又は鋭角状に装着せしめられたミシン刃状溶着ローラーが溶着している状態を示す一部切欠平面図である。
【００３３】
【図３】同積層合成樹脂製袋体及びごみ袋体並びに業務用積層合成樹脂製袋体の第１実施例の斜視図である。
【００３４】
【図４】同積層合成樹脂製袋体及びごみ袋体及び両面接着具の接着位置の取付図である。
【００３５】
【図５】合成樹脂製袋体及びごみ袋体並びに収便袋体の巻き３つ折りとした１枚の袋体の一部切欠斜視図である。
【００３６】
【図６】同積層合成樹脂製袋体の第３実施例の一部切欠正面図である。
【００３７】
【図７】図６の袋体の一部切欠右側面図である。
【００３８】
【図８】同業務用取手付き積層合成樹脂製袋体の第４実施例を示す正面図である。
【００３９】
【図９】同積層合成樹脂製袋体をごみ容器内に収納し、両面接着具に接着されている状態の一部切欠縦断正面図である。
【００４０】
【図１０】ごみ容器内に収納した積層合成樹脂製袋体（ごみ袋体）の上方部がごみ容器より飛出し、飛出した前記ごみ袋体が両面接着具に接着せしめられようとしている状態の底面図である。
【００４１】
【図１１】同容器内に収納した積層合成樹脂製袋体（ごみ袋体）の中、外側の袋体を容器内で広げようとしている状態を示す平面図である。
【００４２】
【図１２】図１１に示する容器内に収納した積層合成樹脂製ごみ袋体を開口し、容器の中程まで広げた状態の平面図である。
【００４３】
【図１３】図１２に示す状態の積層合成樹脂製ごみ袋体を上方に向って突き上げた状態の縦断正面図である。
【００４４】
【図１４】図１３に示す容器内に広げた袋体を上方に突き上げた状態から、容器の外側方に展開せしめた状態の正面図である。
【００４５】
【図１５】同積層合成樹脂製袋体の複数枚を接着手段で接着せしめた斜視図である。
【００４６】
【図１６】簡易便器及び取付た収便袋の平面図である。
【００４７】
【図１７】図１６に図示した前記簡易便器の縦断面図である。
【００４８】
【図１８】バイト状溶着ヒーター及び溶着部材の左側面図である。
【００４９】
【図１９】バイト状溶着部材の上面図である。
【００５０】
【図２０】両面接着具の一部切欠正面図である。
【００５１】
【図２１】図２０の両面接着具の組立て前の縦断面図である。
【００５２】
【図２２】図２０の両面接着具の該部材を構成する構成部材の組立て前の斜視図である。
【発明を実施するための最良の形態】
【００５３】
本発明の請求項１〜７に記載の発明に関する実施の形態は、共通しているので、一括して以下のとおり説明する。
【００５４】
本発明は、従来の合成樹脂製袋体とは、合成樹脂製袋体ａ及び合成樹脂製ごみ袋体ａを巻き３つ折りにした点において異なっている。
【００５５】
すなわち、前記のような巻き３つ折りにした合成樹脂製袋体ａとは、図５に図示されているようにして折り畳むものである。前記のように巻き３つ折りにした理由は、発明が解決しようとする課題において説明したように、袋体の左右折曲辺部及び袋体の内側がフリーとなって広げ易く、そのため広げる作業がスムーズに行くことが狙いであるが、積層体の弱体化も否めない為、左右の溶着を補強としてのデビューである。
【００５６】
さらに、本発明が前記巻き３つ折りにした袋体を多数枚積重せしめ、その積重手段は後述するが、本発明は、積層合成樹脂製袋体ａの一側面部又は両側面部を、しかも前記袋体ａの開口部４を同一方向にして取り揃えて積重せしめ、溶着手段ｂを介して、しかも溶着手段ｂが円盤状にして、且外周縁部７がミシン刃状にて形成せしめられた溶着ローラーｅを使用して、溶解物質の量を少なくして溶着部の断面を適度に荒し、柔らかな溶着とし、且早く剥離が仕易い積層合成樹脂製袋体ａを実現させるためである。これらの具体的な実施例は後述する。
【００５７】
実施例の１について説明する。
【００５８】
本発明の積層合成樹脂製袋体ａ及び同じ資材のごみ袋体ａは、両者共形状形態が共通しているので一括して以下のとおり説明する。
【００５９】
前記積層合成樹脂製袋体ａと同ごみ袋体ａは、手動もしくは自動的にして袋体ａ、ａを巻き３つ折りにして畳んだ後、図１に図示されているように、整列容器ｄ内に、開口部４を同一方向にして積層状態に積重せしめる。
【００６０】
しかる後、前記袋体ａ、ａを上方部より押圧手段ｆを介して一定の圧力をかけ押圧して前記整列容器ｄ内に溶着が仕易い状態を確保してやる。
【００６１】
つぎに、溶着手段ｅを介して前記整列容器ｄ内に押圧収納されている前記袋体ａ、ａの一側面部である右側面部２の端縁部５より袋体ａ、ａの内側部に所定の範囲、例えば２〜５ｍｍの範囲まで食込んだ部位に、溶着手段ｂであるミシン刃状溶着ローラーｅを上部または下部より押しながら回転せしめ内側部に侵入せしめ溶着する。なお溶着ローラー軸によりミシン刃状溶着ローラーｅを回転させることは溶着部の断面を適度に荒し、柔らかな溶着となり、なお早く好ましい。
【００６２】
前記のような溶着によって、積層されている合成樹脂製袋体ａ、ａの全部が確実に溶着され、溶着しない袋体ａ、ａは少ない。
【００６３】
前記溶着手段ｂである溶着ローラーｅは、上方部から下方部へ、下方部から上方部へと昇降せしめても良く、前記ミシン刃状溶着ローラーｅの回転は進行方向へと自ずと変る。
【００６４】
本発明は、前記のようにして溶着された袋体ａ、ａを複数枚宛取り出しセットにして使用することができる。
【００６５】
本発明の溶着は、前記のようにして積層された合成樹脂製袋体ａ、ａの溶着個所が、前記袋体ａの左側面部１もしくは右側面部２の何れかにするか、両側面部を溶着してもよい。
【００６６】
１０は溶着部である。
【００６７】
実施例の２について説明する。
【００６８】
本発明は、取手付き合成樹脂製袋体ｃ、ｃを前記と同様に、整列容器ｄ内に収納し積層せしめ、上方から押圧しておきながら、前記袋体ｃ、ｃの一側面部である左側面部１もしくは右側面部２の何れかに溶着手段ｂを介して前記と同様に端縁部５より内側部に２〜５ｍｍの範囲に食込ませながら移動せしめて溶着する。
【００６９】
さらに本発明においては、前記取手付き合成樹脂製袋体ｃの左側面部１もしくは右側面部２もしくは両側面部を、前記袋体ａと同様に、溶着手段ｂを介して溶着せしめても良い。
【００７０】
１０は溶着部である。
【００７１】
実施例の３について説明する。
【００７２】
前記溶着手段ｂを構成する回転せしめられるミシン刃状溶着ローラーｅについて説明する。
【００７３】
前記ミシン刃状溶着ローラーｅは、図１、２に図示されているように、所定の温度、袋の表面を１６０℃前後に加熱せしめるためヒーター部１１を内蔵するヒーター軸杆１２に対し、直角状に軸着されている。
【００７４】
そして、前記ミシン刃状溶着ローラーｅの構造は、円盤状にして、且つ外周縁部７がミシン刃状にて形成され、図にはないが、ミシン刃状溶着ローラーの軌跡としての溶解であり、本件特許出願人が出願し取下げた特願２０１５−２５１５７号の溶着ローラーに比べ、溶解物質は半減したのであり、軽く剥し易い、積層袋となすものである。
【００７５】
さらに、前記ミシン刃状溶着ローラーｅを軸着するヒーター軸杆１２は、端部には図示していないが、上または下より押すことにより回動するよう装着されているが、軸杆自体の回転による上下方向への回動は変化が多く好ましい。
【００７６】
前記加熱手段を構成するミシン刃状溶着ローラーｅは、ヒーター部１１により、袋の表面が１６０度前後となるよう加熱されるのであり、前記合成樹脂製袋体ａ、ａの側面部を溶着するときは、積重し積層されている全部の積層袋体ａ、ａが全部溶着される。そのため複数枚の前記積層袋体ａ、ａは容器ｇへ収納した際、一枚も無駄にならずにスムーズに使用され極めて便利である。
【００７７】
実施例の４について説明する。
【００７８】
本発明は前記業務用取手付き合成樹脂製袋体ｃ並びに同ごみ袋体ｃとして、これら袋体を構成する任意の個所に孔１３を開けるか、又はその孔１３をフックで止め、さらに左側面部１か右側面部２を、または両側面部に前記ミシン刃状溶着ローラーｅを介して溶着せしめてもよい。
【００７９】
さらに本発明は、前記のミシン刃状溶着ローラーｅを使用するので、溶解物質の量を少なくして、溶着の深さを増すため、業務用積層合成樹脂製袋体ａ並びに同ごみ袋体ａの全部が溶着され、非溶着のものの発生は少ない利点がある。
【００８０】
１０は溶着部である。
【００８１】
実施例の５について説明する。
【００８２】
本発明の積層合成樹脂製袋体ａは、図１０に図示するように、溶着部１０を合成樹脂製容器ｇの開口部１３より外側方に飛出せしめ、他の部分は容器ｇ内に収納せしめ使用する。また両面接着具１８による取付け位置である。
【００８３】
さらに、蓋体（図示なし）を被せることにより、前記袋体ａは、より一層安定した状態で収納せしめることができる。
【００８４】
またこのアイテムの容器への取付けに関しては、古い容器への接着力は弱く、剥れ落ちる恐れが有り、細かなサンドペーパー等により接着面の研磨が必要である。そのため両面接着具の帯体表面を適度に荒し、研磨に用いようとするものである。
【００８５】
又、１枚の両面接着具で３０枚から４０枚の袋体の使用が可能であり、１枚の両面接着材で１枚または数枚の袋体の使用では、効率が悪く価格も上がりもったいないのである。
【００８６】
そのため、積層袋体を１セット又は複数のセット並びに溶着していない合成樹脂製袋体の複数または多数枚を販売セットとし、防菌加工を施し、両端を研磨部を兼ねたつまみ部として両面接着具を設け、セットとして販売するものである。
【００８７】
さらに、容器に両面接着具１８を張り付けた後、容器の中に積層袋を入れ、開口部を容器の外側に出し、裏の面を前記の両面接着具１８に張り付けるのである。
【００８８】
その後積層袋上部を押え、もう一方の手で折曲辺部１６、１７を左右に広げ、一番上のフィルムシート上面の開口中央部を指でつまんでいくらか開けるのである。
【００８９】
それを容器の中程まで広げ、その位置で上の方に向けてトントンと数回突き上げ、いくらか袋に空気が入った後、両手を使い、袋の全体をしっかり容器の壁に向って広げるのである。
【００９０】
実施例の６収便袋ａについて説明する。
【００９１】
また収便袋ａの取付け方であるが、説明文にそって両面接着具１８を容器２０及び座板に張り、収便袋ａを入れて開口部を容器の外側に出し、両面接着具１８に張り付けるのである。
【００９２】
その後収便袋ａの左右折曲辺部を広げ、収便袋の開口部を開き、容器２０の中に広げ、外にも広げつつ便座上又は便器に付けた両面接着具に張り付け整えるのである。また粘性の特に強い汚物に対しては、消臭または除菌を兼ねた潤滑油の塗布、または使用前の容器への塗布は好ましい。
【００９３】
使用した後は、１又は数個所の接着部を剥し、空気を抜きながら、取り出すのである。
【００９４】
取り出した後、トイレに持って行き、適度に洗い水を入れて追水とし、開口部を下にむけて流し出すのであり、以後袋はごみとして出すのである。
【００９５】
さらに本発明の積層合成樹脂製袋体６の広げ方としては、図１０に収納された状態から、外側方の袋体ａを容器ｇ内で広げてやる（図１１）。
【００９６】
つぎに、前記図１１に図示する袋体ａを開口し容器の中程まで広げてやる（図１２）。
【００９７】
さらに、前記図１２の図示状態から、図１３に図示するようにして同袋体ａを上方に向って突き上げてやる。その後、外側の袋体ａを容器ｇ内に広げたら、前記袋体ａを容器ｇの外側方に展開する。
【００９８】
以上が前記袋体ａの広げ方法である。
【００９９】
１４は取手部、１５は綴代である。
【０１００】
実施例の７について説明する。
【０１０１】
さらに、本発明は、巻き３つ折りとした積層袋体及び合成樹脂製袋体６の単袋の容器への取付けは、両面接着具を容器に張り付けることにより、２０枚から３０枚の合成樹脂製袋体の使用が可能であり、複数枚あるいは多数枚の袋の単袋並びに数セットまたは複数セットの積層袋体に、１枚から数枚の両面接着具を付け販売セットとするものである。  
【０１０２】
さらに、研磨材の使用は、容器表面に傷を付けることにつながるものであり、両面接着具の帯体の表面を適度に荒し、これをもって、古い容器の表面を研磨しようとするものである。また、図示されていないが、剥離紙の表面に研磨材の塗布並びに剥離紙表面を適度に荒すことで同等の効果となすものである。
【０１０３】
実施例の８について説明する。
【０１０４】
溶着手段として、前記のとおりミシン刃状溶着ローラーｅについて説明したが、さらに本発明においては、前記ミシン刃状溶着ローラーｅに対し、工作機械のバイト状とした溶着部材ｎを一方方向に向け使用することもできる。
【０１０５】
バイト状溶着ヒーターは、シンプルな構造であるが、ミシン刃状ローラーヒーターと同等の効果を得ることができる。
【０１０６】
図１７に図示されていないが、溶解物が積層袋両側面前方に落下するのであり、溶解物の受皿を必要とする。
【０１０７】
実施例の９について説明する。
【０１０８】
図においてｏは接着取付具であり以下の構成からなっている。
【０１０９】
積層樹脂製袋体及び単体の取付用接着部材は、水洗いを考慮した強い帯状の合成樹脂製チップとし、該帯体２７の表面と裏面に、粘性接着剤２５を帯体２７より短く、つまみ部を残し塗布又は貼り、そして前記した粘性接着剤２５の表面に剥離紙２６を貼って作成する。
【０１１０】
前記のようにして作成した接着部材ｏは、図２０のように、剥離紙２６が帯体２７の左右両端が残された状態である。
【符号の説明】
【０１１１】
ａ        積層合成樹脂製袋体
ｂ        溶着手段
ｃ        取手付き積層合成樹脂製袋体
ｄ        整列容器
ｅ        ミシン刃状溶着ローラー
ｆ        押圧手段
ｇ        容器
ｎ        バイト状溶着部材
ｏ        接着取付具
１        左側面部
２        右側面部
３        孔
４        開口部
５        端縁部
６        合成樹脂製袋体
１０      溶着部
１１      ヒーター部
１２      ヒーター軸杆
１３      開口部
１４      取手部
１５      綴代
１６      右折曲辺部
１７      左折曲辺部
１８      両面接着具
１９      つまみ部
２０      簡易便器
２１      便座部
２２      昇降シャフト
２３      昇降ナット
２４      ガリ刃状溶着ヒーター
２５      粘性接着剤
２６      剥離紙
２７      帯体